(57)【要約】【課題】オーディオプレーヤーを操作するための各キーを使用するのに便利な位置に配置できる移動通信端末機を提供する。また、移動通信端末機の外面に備わる補助ディスプレイを大きく設計できる移動通信端末機を提供する。【解決手段】外部装置との無線通信が可能であり、オーディオプレーヤー４０が内蔵された携帯可能な移動通信端末機において、使用者が前記オーディオプレーヤー４０を操作できるように、ハウジング２００の側面に提供される操作キーアセンブリ１００を含んでオーディオプレーヤー操作キーが備わった移動通信端末機を構成する。【選択図】図４Ａ
2008136244.tif 000002
【特許請求の範囲】
【請求項１】
外部装置との無線通信を可能にするコンポーネントを収容するハウジングを備えた移動通信端末機であって、
前記コンポーネントは、
音声通信を再生するための少なくとも第１のスピーカーと、
オーディオファイルを格納するためのメモリと、
前記ハウジング内に配置されたオーディオプレーヤーと、
前記オーディオプレーヤーから少なくともオーディオ信号を再生するための少なくとも１つの第２のスピーカーと、
前記オーディオプレーヤーが前記メモリに格納された前記オーディオファイルを再生しているときに前記オーディオプレーヤーの再生および他の機能をともに制御するように構成されたオーディオプレーヤー制御スイッチであって、前記ハウジングの側面に配置されているオーディオプレーヤー制御スイッチと
を備える、端末機。
【請求項２】
前記ハウジングは、上部ハウジングと、下部ハウジングとを備え、前記制御スイッチは、前記上部ハウジングの側面に配置されている、請求項１に記載の端末機。
【請求項３】
前記ハウジングに配置されたアップキー、ダウンキーおよびディスプレイをさらに備え、前記ディスプレイにオーディオファイルリストが表示され、前記アップキーおよび前記ダウンキーを用いて前記オーディオファイルリストからオーディオファイルが選択される、請求項１に記載の端末機。
【請求項４】
前記ディスプレイは、補助ディスプレイである、請求項３に記載の端末機。
【発明の詳細な説明】
【技術分野】
【０００１】
本発明は、移動通信端末機に関するもので、詳しくは、オーディオプレーヤーを操作するための専用キーが使用するのに便利な位置に備わった移動通信端末機に関するものである。
【背景技術】
【０００２】
一般に、携帯電話機及びＰＤＡなどの移動通信端末機（mobile communication device）は、技術が発展するにつれて、単純な音声情報を伝達するのみならず、文字情報、画像情報及びゲームなどをも使用者に提供するに至った。さらに、図１に示すように、最近の移動通信端末機には、デジタル写真及び映像を撮影するためのデジタルカメラと、ＭＰ３ファイルなどのオーディオファイルを再生するためのオーディオプレーヤーと、が備わっている。
【０００３】
上記のようなデジタルカメラ及びオーディオプレーヤーが備わった移動通信端末機において、カメラレンズ４は、図１に示すように、通常、上部ハウジング１の上面に備わるが、上部ハウジング１と下部ハウジング２とを連結するヒンジ７、または、バッテリ３が付着される下部ハウジング２の後面に備わることもある。また、前記オーディオプレーヤーを操作するための操作キー６は、図１に示すように、前記上部ハウジング１の上面に備わる。
【０００４】
上述したように、デジタルカメラ及びオーディオプレーヤーが備わった移動通信端末機において、前記オーディオプレーヤーの操作キー６及びレンズ４は、通常、上部ハウジング１の上面に配置される。また、前記上部ハウジング１には、図１に示すように、使用者が上部ハウジング１を開く必要なく、現在の時刻や発信者情報などを確認できるように補助ディスプレイ５が備わる。
【発明の開示】
【発明が解決しようとする課題】
【０００５】
しかしながら、従来の移動通信端末機において、前記レンズ４、操作キー６及び補助ディスプレイ５の全てが前記上部ハウジング１の上面に配置されるため、前記補助ディスプレイ５が小さくなるしかないという問題があった。
【０００６】
また、補助ディスプレイ５を大きくするためには、前記レンズ４が前記ヒンジ７または下部ハウジング２に配置されるか、または、前記操作キー６が前記下部ハウジング２に備わったキーパッド(図示せず)に含まれるように設計すべきである。ところが、前記操作キー６を前記キーパッドに含まれるように設計する場合、使用者は、オーディオプレーヤーを用いるとき、必ず移動通信端末機を開くべきであるという不便な点があった。
【０００７】
さらに、前記操作キー６が、図１に示した位置に提供される場合、使用者が片手で前記移動通信端末機を握った状態で前記操作キー６を押すため不便であった。すなわち、前記移動通信端末機を握った手の親指で前記操作キー６を押すことになるが、その作業が容易ではなく、前記操作キー６を正確に押すためには、使用者が両手を用いるべきであるという不便な点があった。
【０００８】
本発明は、上記の問題点を解決するためのもので、その目的は、オーディオプレーヤーを操作するための各キーを使用便利な位置に配置できる移動通信端末機を提供することにある。
【０００９】
本発明の他の目的は、移動通信端末機の外面に備わる補助ディスプレイを大きく設計できる移動通信端末機を提供することにある。
【課題を解決するための手段】
【００１０】
上記目的を達成するために、本発明の一実施形態に係るオーディオプレーヤー操作キーが備わった移動通信端末機は、外部装置との無線通信が可能であり、オーディオプレーヤーが内蔵された携帯可能な移動通信端末機において、使用者が前記オーディオプレーヤーを操作できるように、ハウジングの側面に提供される操作キーアセンブリを含んで構成される。
【００１１】
前記移動通信端末機は、前記ハウジングの側面と隣接したハウジングの上面に提供される補助ディスプレイをさらに含んで構成される。
【００１２】
前記ハウジングは、ヒンジを中心に相互回転自在に結合された上部及び下部ハウジングを含んで構成される。この場合、前記ヒンジは、前記上部及び下部ハウジングのうちいずれか一つから突出された中央部と、前記上部及び下部ハウジングのうち他の一つから突出されて前記中央部と軸結合され、その間に前記中央部が位置するように所定距離だけ離隔して配置された一対の端部と、を含んで構成される。また、前記ヒンジは、前記上部及び下部ハウジングに対し水平に配置される。また、前記操作キーアセンブリは、前記ヒンジの長さ方向端部に備わることが好ましい。
【００１３】
前記移動通信端末機は、前記ヒンジの長さ方向端部に備わったスピーカーをさらに含んで構成される。また、前記操作キーアセンブリは、前記ヒンジの長さ方向端部に前記スピーカーと一緒に備わる。この場合、前記操作キーアセンブリは、前記ヒンジの長さ方向端部中央に配置され、前記スピーカーは、前記操作キーアセンブリの周辺を通して声が出るように前記ヒンジの端部に内蔵される。
【００１４】
一方、上記目的を達成するために、本発明の他の実施形態に係るオーディオプレーヤー操作キーが備わった移動通信端末機は、外部装置との無線通信が可能であり、オーディオプレーヤーが内蔵された携帯可能な移動通信端末機において、ヒンジを中心に相互回転自在に結合された上部及び下部ハウジングと;前記オーディオプレーヤーを操作するために前記ヒンジの長さ方向端部に提供される操作キーアセンブリと；を含んで構成される。
【００１５】
前記移動通信端末機は、前記上部ハウジングに提供され、前記上部及び下部ハウジングを折り合わせたとき、前記上部ハウジングの上面に位置する補助ディスプレイをさらに含んで構成される。
【００１６】
前記ヒンジは、前記上部及び下部ハウジングに対し水平に配置されることが好ましい。前記ヒンジは、前記上部及び下部ハウジングのうちいずれか一つから突出された中央部と、前記上部及び下部ハウジングのうち他の一つから突出されて前記中央部と軸結合され、その間に前記中央部が位置するように所定距離だけ離隔して配置された一対の端部と、を含んで構成される。
【００１７】
前記操作キーアセンブリは、前記ヒンジの長さ方向端部に結合されるキャップと、一部が前記キャップを貫通して外部に露出されるように設置された少なくとも一つのキーと、を含んで構成される。前記キーは、一部が前記キャップを貫通するように設置される軟質のキーパッドを含んで構成されるか、前記キャップの内部に提供される軟質のキーパッドと、前記キャップを貫通するように設置され、使用者によって押されたとき、前記キーパッドを押す硬質のボタンと、を含んで構成される。ここで、前記キーパッドは、フレキシブルプリント回路基板を含んで構成されることが好ましい。前記ボタンは、使用者によって押される面と前記キーパッドを押す面との間に提供され、前記キャップに接触して支持されることで、前記ボタンが前記キャップの外部に抜け出ることを防止する段差部を含んで構成されることが好ましい。
【００１８】
前記キャップは、前記ヒンジの端部に結合される中空状のフレームと、該フレームの内部に外部と連通されるように設置され、その内部に前記キーが装着されるソケットと、を含んで構成される。前記ソケットは、前記中空状のフレームと同軸上に配置されることが好ましい。前記ソケットは、前記フレームの内部に固定されるとともに、その内部に前記キーが挿入され、外部と連通された第１端部と、前記フレームの内部と連通された第２端部と、を備えたシリンダーと、該シリンダーの内部に挿入されたキーが外部に抜け出ることを防止するために、前記第１端部から前記シリンダーの中心側に延長された延長部と、前記第２端部に結合されて前記第２端部を開閉するカバーと、を含んで構成される。
【００１９】
前記移動通信端末機は、前記ヒンジに提供される少なくとも一つのホールと;該ホールを通してサウンドを外部に伝達するために、前記ヒンジの長さ方向端部の内部に提供されるスピーカーと；をさらに含んで構成される。この場合、前記ホールは、前記ヒンジの長さ方向端部に形成されることが好ましい。
【００２０】
前記移動通信端末機は、前記キャップに提供される少なくとも一つのホールと;該ホールを通してサウンドを外部に伝達するために、前記キャップまたは前記ヒンジの内部に設置されるスピーカーと、をさらに含んで構成される。この場合、前記各ホールは、前記キャップの端部の前記キー周辺に配置されることが好ましい。前記キャップは、該キャップの端部のうち前記キーの占有領域でない領域を占めるように設置され、前記ホールが少なくとも一つ形成されたグリルを含んで構成されることが好ましい。この場合、前記グリルは、前記キーの外部に露出された部分を取り囲むように設置される。しかし、前記グリルは、前記キャップの端部中央に配置され、前記キーは、前記グリルを取り囲むように配置される。
【００２１】
前記操作キーアセンブリは、前記ヒンジの長さ方向両端部にそれぞれ提供される。この場合、前記操作キーアセンブリは、前記ヒンジの長さ方向両端部のうちいずれか一側に提供され、前記オーディオプレーヤーによって再生されるサウンドを停止または再生する停止/再生キーと、前記ヒンジの長さ方向両端部のうち他の一側に提供され、他のキーが押されて前記オーディオプレーヤーの作動状態が変更されることを防止するホールドキーと、を含んで構成される。
【００２２】
前記操作キーアセンブリは、前記ヒンジの長さ方向両端部のうちいずれか一側のみに提供される。
【００２３】
前記操作キーアセンブリは、前記ヒンジの長さ方向端部に結合され、その一端に多数のボタンホールが備わったキャップと、前記各ボタンホールに挿入される多数のボタンと、前記キャップの内部に提供され、前記各ボタンによって押されながら前記オーディオプレーヤーを操作する多数のスイッチが備わったキーパッドと、を含んで構成される。前記操作キーアセンブリは、前記ヒンジの長さ方向端部に結合され、その一端にボタンホールが備わったキャップと、該キャップの内部に提供され、前記オーディオプレーヤーを操作するための多数のスイッチがその周りに沿って備わったキーパッドと、使用者がその周辺部を押すとき、前記キーパッドに対し傾斜して押されながら、前記キーパッドの各スイッチのうちいずれ一つを押すように前記ボタンホールに挿入されるボタンと、を含んで構成されることもある。
【００２４】
前記キーは、前記ヒンジの長さ方向端部に対し水平に回転しながら作動するように形成される。この場合、前記キーは、その上面に半径方向に沿って長く提供される溝を含んで構成されるか、その上面から突出された突起を含んで構成されることが好ましい。ここで、前記突起は、前記キーの半径方向に沿って長く形成されることが好ましい。
【００２５】
上記目的を達成するために、本発明は、例えば、以下の手段を提供する。
（項目１）
外部装置との無線通信が可能であり、オーディオプレーヤーが内蔵された携帯可能な移動通信端末機において、
使用者が前記オーディオプレーヤーを操作できるように、ハウジングの側面に提供される操作キーアセンブリを含んで構成されることを特徴とするオーディオプレーヤー操作キーが備わった移動通信端末機。
（項目２）
前記ハウジングの側面と隣接したハウジングの上面に提供される補助ディスプレイをさらに含んで構成されることを特徴とする項目１に記載のオーディオプレーヤー操作キーが備わった移動通信端末機。
（項目３）
前記ハウジングは、ヒンジを中心に相互回転自在に結合された上部及び下部ハウジングを含んで構成されることを特徴とする項目１または２に記載のオーディオプレーヤー操作キーが備わった移動通信端末機。
（項目４）
前記ヒンジは、
前記上部及び下部ハウジングのうちいずれか一つから突出された中央部と、
前記上部及び下部ハウジングのうち他の一つから突出されて前記中央部と軸結合され、その間に前記中央部が位置するように所定距離だけ離隔して配置された一対の端部と、を含んで構成されることを特徴とする項目３に記載のオーディオプレーヤー操作キーが備わった移動通信端末機。
（項目５）
前記ヒンジは、前記上部及び下部ハウジングに対し水平に配置されることを特徴とする項目３に記載のオーディオプレーヤー操作キーが備わった移動通信端末機。
（項目６）
前記操作キーアセンブリは、前記ヒンジの長さ方向端部に備わることを特徴とする項目３に記載のオーディオプレーヤー操作キーが備わった移動通信端末機。
（項目７）
前記ヒンジの長さ方向端部に備わったスピーカーをさらに含んで構成されることを特徴とする項目３に記載のオーディオプレーヤー操作キーが備わった移動通信端末機。
（項目８）
前記操作キーアセンブリは、前記ヒンジの長さ方向端部に前記スピーカーと一緒に備わることを特徴とする項目７に記載のオーディオプレーヤー操作キーが備わった移動通信端末機。
（項目９）
前記操作キーアセンブリは、前記ヒンジの長さ方向端部中央に配置され、前記スピーカーは、前記操作キーアセンブリの周辺を通して声が出るように前記ヒンジの端部に内蔵されることを特徴とする項目８に記載のオーディオプレーヤー操作キーが備わった移動通信端末機。
（項目１０）
外部装置との無線通信が可能であり、オーディオプレーヤーが内蔵された携帯可能な移動通信端末機において、
ヒンジを中心に相互回転自在に結合された上部及び下部ハウジングと;
前記オーディオプレーヤーを操作するために前記ヒンジの長さ方向端部に提供される操作キーアセンブリとを含んで構成されることを特徴とするオーディオプレーヤー操作キーが備わった移動通信端末機。
（項目１１）
前記上部ハウジングに提供され、前記上部及び下部ハウジングを折り合わせたとき、前記上部ハウジングの上面に位置する補助ディスプレイをさらに含んで構成されることを特徴とする項目１０に記載のオーディオプレーヤー操作キーが備わった移動通信端末機。
（項目１２）
前記ヒンジは、前記上部及び下部ハウジングに対し水平に配置されることを特徴とする項目１０に記載のオーディオプレーヤー操作キーが備わった移動通信端末機。
（項目１３）
前記ヒンジは、
前記上部及び下部ハウジングのうちいずれか一つから突出された中央部と、
前記上部及び下部ハウジングのうち他の一つから突出されて前記中央部と軸結合され、その間に前記中央部が位置するように所定距離だけ離隔して配置された一対の端部と、を含んで構成されることを特徴とする項目１０に記載のオーディオプレーヤー操作キーが備わった移動通信端末機。
（項目１４）
前記操作キーアセンブリは、
前記ヒンジの長さ方向端部に結合されるキャップと、
一部が前記キャップを貫通して外部に露出されるように設置された少なくとも一つのキーと、を含んで構成されることを特徴とする項目１０に記載のオーディオプレーヤー操作キーが備わった移動通信端末機。
（項目１５）
前記キーは、一部が前記キャップを貫通して設置される軟質のキーパッドを含んで構成されることを特徴とする項目１４に記載のオーディオプレーヤー操作キーが備わった移動通信端末機。
（項目１６）
前記キーは、
前記キャップの内部に提供される軟質のキーパッドと、
前記キャップを貫通して設置され、使用者によって押されたとき、前記キーパッドを押す硬質のボタンと、を含んで構成されることを特徴とする項目１４に記載のオーディオプレーヤー操作キーが備わった移動通信端末機。
（項目１７）
前記キーパッドは、フレキシブルプリント回路基板を含んで構成されることを特徴とする項目１５または１６に記載のオーディオプレーヤー操作キーが備わった移動通信端末機。
（項目１８）
前記ボタンは、使用者によって押される面と前記キーパッドを押す面との間に提供され、前記キャップに接触して支持されることで、前記ボタンが前記キャップの外部に抜け出ることを防止する段差部を含んで構成されることを特徴とする項目１６に記載のオーディオプレーヤー操作キーが備わった移動通信端末機。
（項目１９）
前記キャップは、
前記ヒンジの端部に結合される中空状のフレームと、
該フレームの内部に外部と連通されるように設置され、その内部に前記キーが装着されるソケットと、を含んで構成されることを特徴とする項目１４に記載のオーディオプレーヤー操作キーが備わった移動通信端末機。
（項目２０）
前記ソケットは、前記中空状のフレームと同軸上に配置されることを特徴とする項目１９に記載のオーディオプレーヤー操作キーが備わった移動通信端末機。
（項目２１）
前記ソケットは、
前記フレームの内部に固定されるとともに、その内部に前記キーが挿入され、外部と連通された第１端部と、前記フレームの内部と連通された第２端部と、を備えたシリンダーと、
該シリンダーの内部に挿入されたキーが外部に抜け出ることを防止するために、前記第１端部から前記シリンダーの中心側に延長された延長部と、
前記第２端部に結合されて該第２端部を開閉するカバーと、を含んで構成されることを特徴とする項目１９に記載のオーディオプレーヤー操作キーが備わった移動通信端末機。（項目２２）
前記ヒンジに提供される少なくとも一つのホールと;
該ホールを通してサウンドを外部に伝達するために、前記ヒンジの長さ方向端部の内部に提供されるスピーカーと；をさらに含んで構成されることを特徴とする項目１０に記載のオーディオプレーヤー操作キーが備わった移動通信端末機。
（項目２３）
前記ホールは、前記ヒンジの長さ方向端部に形成されることを特徴とする項目２２に記載のオーディオプレーヤー操作キーが備わった移動通信端末機。
（項目２４）
前記キャップに提供される少なくとも一つのホールと;
該ホールを通してサウンドを外部に伝達するために、前記キャップまたは前記ヒンジの内部に設置されるスピーカーと；をさらに含んで構成されることを特徴とする項目１４に記載のオーディオプレーヤー操作キーが備わった移動通信端末機。
（項目２５）
前記各ホールは、前記キャップの端部の前記キー周辺に配置されることを特徴とする項目２４に記載のオーディオプレーヤー操作キーが備わった移動通信端末機。
（項目２６）
前記キャップは、該キャップの端部のうち前記キーの占有領域でない領域を占めるように設置され、前記ホールが少なくとも一つ形成されたグリルを含んで構成されることを特徴とする項目２４に記載のオーディオプレーヤー操作キーが備わった移動通信端末機。
（項目２７）
前記グリルは、前記キーの外部に露出された部分を取り囲むように設置されることを特徴とする項目２６に記載のオーディオプレーヤー操作キーが備わった移動通信端末機。
（項目２８）
前記グリルは、前記キャップの端部中央に配置され、前記キーは、前記グリルを取り囲むように配置されることを特徴とする項目２６に記載のオーディオプレーヤー操作キーが備わった移動通信端末機。
（項目２９）
前記操作キーアセンブリは、前記ヒンジの長さ方向両端部にそれぞれ提供されることを特徴とする項目１０、１４、２２及び２４のうちいずれか１項に記載のオーディオプレーヤー操作キーが備わった移動通信端末機。
（項目３０）
前記操作キーアセンブリは、
前記ヒンジの長さ方向両端部のうちいずれか一側に提供され、前記オーディオプレーヤーによって再生されるサウンドを停止または再生する停止/再生キーと、
前記ヒンジの長さ方向両端部のうち他の一側に提供され、他のキーが押されて前記オーディオプレーヤーの作動状態が変更されることを防止するホールドキーと、を含んで構成されることを特徴とする項目２９に記載のオーディオプレーヤー操作キーが備わった移動通信端末機。
（項目３１）
前記操作キーアセンブリは、前記ヒンジの長さ方向両端部のうちいずれか一側のみに提供されることを特徴とする項目１０、１４、２２及び２４に記載のオーディオプレーヤー操作キーが備わった移動通信端末機。
（項目３２）
前記操作キーアセンブリは、
前記ヒンジの長さ方向端部に結合され、その一端に多数のボタンホールが備わったキャップと、
前記各ボタンホールに挿入される多数のボタンと、
前記キャップの内部に提供され、前記各ボタンによって押されながら前記オーディオプレーヤーを操作する多数のスイッチが備わったキーパッドと、を含んで構成されることを特徴とする項目１０に記載のオーディオプレーヤー操作キーが備わった移動通信端末機。（項目３３）
前記操作キーアセンブリは、
前記ヒンジの長さ方向端部に結合され、その一端にボタンホールが備わったキャップと、
該キャップの内部に提供され、前記オーディオプレーヤーを操作するための多数のスイッチがその周りに沿って備わったキーパッドと、
使用者がその周辺部を押すとき、前記キーパッドに対し傾斜して押されながら、前記キーパッドの各スイッチのうちいずれか一つを押すように前記ボタンホールに挿入されるボタンと、を含んで構成されることを特徴とする項目１０に記載のオーディオプレーヤー操作キーが備わった移動通信端末機。
（項目３４）
前記キーは、前記ヒンジの長さ方向端部に対し水平に回転しながら作動することを特徴とする項目１４に記載のオーディオプレーヤー操作キーが備わった移動通信端末機。
（項目３５）
前記キーは、その上面に半径方向に沿って長く提供される溝を含んで構成されることを特徴とする項目３４に記載のオーディオプレーヤー操作キーが備わった移動通信端末機。（項目３６）
前記キーは、その上面から突出された突起を含んで構成されることを特徴とする項目３４に記載のオーディオプレーヤー操作キーが備わった移動通信端末機。
（項目３７）
前記突起は、前記キーの半径方向に沿って長く形成されることを特徴とする項目３６に記載のオーディオプレーヤー操作キーが備わった移動通信端末機。
【発明の効果】
【００２６】
本発明に係る移動通信端末機においては、オーディオプレーヤーを操作するための各キーがハウジングの側面、例えば、上部及び下部ハウジングを連結するヒンジの両側端部に提供されるので、使用者は、親指、人差し指及び薬指で前記各キーを容易に押すことができて便利である。さらに、ハウジングの上面、例えば、上部ハウジングの上面に備わる補助ディスプレイを大きく設計できるという長所もある。
【００２７】
また、オーディオプレーヤーを操作するためのキーと共に、サウンドを提供するスピーカーがヒンジの両側端部に内蔵されるので、空間を効率的に用いることで、ハウジングのコンパクト化が可能である。
【００２８】
また、本発明に係る移動通信端末機においては、オーディオプレーヤーを操作するための操作キーアセンブリにホールドキーが提供され、該ホールドキーが回転しながら作動する構造を有するので、携帯中に不意の外力によって他のキーが押され、オーディオプレーヤーの作動状態が容易に変更されることを防止できる。
【００２９】
また、前記操作キーアセンブリが前記ヒンジの両端部のうちいずれか一部分のみに提供される場合、他の部分にカメラを設置することで、空間が効率的に用いられる。また、前記操作キーアセンブリに多数のキーが備わる場合、使用者は、オーディオプレーヤーの多くの機能を簡単に使用できる。
【発明を実施するための最良の形態】
【００３０】
以下、本発明に係るオーディオプレーヤー操作キーが備わった移動通信端末機の好適な実施の形態について、添付の図面に基づいて詳細に説明する。本発明の各実施形態を説明するにおいて、同一の構成には同一の名称及び符号を用いており、これに対する付加的な説明は省略する。
【００３１】
図２は、本発明に係る移動通信端末機の構成を示したブロック図である。図２に示すように、本発明に係る移動通信端末機には、制御部１０、入出力部２０、移動通信信号処理部３０及びオーディオプレーヤー４０が備わる。
【００３２】
前記入出力部２０には、使用者が外部で押すことによって信号を入力するキーパッド２１と、外部の声を入力するマイク２３と、信号を音波に転換して出力するスピーカー２５と、ＬＣＤなどからなるディスプレイ２７と、が提供される。
【００３３】
前記移動通信信号処理部３０には、前記入出力部２０を通して入力された情報及び信号、または、制御部１０のメモリ１１に保存された情報を処理して送信する送信信号処理部(図示せず)、及び外部から電波を受信して処理する受信信号処理部(図示せず)を含む送受信回路３１と、該送受信回路３１で処理された電波信号を外部に出力するか、または、外部の電波信号を受信するアンテナ３３と、が備わる。このように提供された移動通信信号処理部３０によって、前記移動通信端末機は、外部装置、例えば基地局と無線通信を行えるようになる。
【００３４】
前記オーディオプレーヤー４０は、前記制御部１０のメモリ１１に保存されたオーディオファイル、例えば、ＭＰ３ファイルを再生して外部に出力する。このために、前記オーディオプレーヤー４０には、ＭＰ３ファイルなどのオーディオファイルを処理するファイル再生処理部４１と、該ファイル再生処理部４１で処理された信号をサウンドで出力するスピーカー４３と、使用者が前記オーディオプレーヤー４０を容易に操作できるように提供される操作キーアセンブリ１００と、が備わる。
【００３５】
ここで、前記スピーカー４３としては、前記出入力部２０のスピーカー２５が用いられるが、良い品質のサウンドを提供するためには、前記スピーカー２５とは別途に提供されることが好ましい。また、前記オーディオプレーヤー４０を操作するための操作キーアセンブリ１００としては、前記入出力部２０のキーパッド２１が用いられるが、本発明に係る移動通信端末機においては、使用者が移動通信端末機を開く必要なく、前記オーディオプレーヤー４０を簡単に操作できるように、前記キーパッド２１とは別途に提供される。
【００３６】
一方、図２に示すように、本発明に係る移動通信端末機には、カメラ５０がさらに提供される。前記カメラ５０は、レンズ５１と、該レンズ５１を通過した光をアナログ信号に変換する光センサ５３と、該光センサ５３で処理されたアナログ信号をデジタル信号に変換して処理するＤＳＰ(digitalsignalprocess)５５と、を含んで構成される。
【００３７】
上述した制御部１０、入出力部２０、移動通信信号処理部３０、オーディオプレーヤー４０及びカメラ５０の構造は、通常の移動通信端末機に備わるものとほぼ同じであるため、これに対する説明は省略する。ただ、本発明に係る移動通信端末機において、前記オーディオプレーヤー４０を操作するための操作キーアセンブリ１００は、使用者の便宜性を向上するためにハウジング２００の側面に提供される点で、通常の移動通信端末機の構造と異なる。以下、本発明に係る操作キーアセンブリ１００に対し、図面に基づいてさらに詳しく説明する。
【００３８】
図３Ａ及び図３Ｂは、本発明の第１実施形態に係る移動通信端末機を示した斜視図で、図４Ａは、図３Ａ及び図３Ｂの移動通信端末機におけるオーディオプレーヤーの操作キーアセンブリとスピーカーとがヒンジに結合された状態を示した概略図である。以下、これら図面に基づいて、本発明の第１実施形態に係る移動通信端末機に対して説明する。
【００３９】
図３Ａ及び図３Ｂに示すように、オーディオプレーヤー４０を操作するための操作キーアセンブリ１００は、ハウジング２００の側面に提供される。このように前記操作キーアセンブリ１００が前記ハウジング２００の側面に提供されると、使用者は、片手で前記移動通信端末機のハウジング２００を握った状態で、親指、人差し指及び中指を用いて前記操作キーアセンブリ１００を押すことができて非常に便利である。ここで、前記操作キーアセンブリ１００は、使用者が親指、人差し指及び中指で容易に押すことができるように、前記ハウジング２００の側面の上側に配置されることが好ましい。
【００４０】
上記のように構成された本発明に係る移動通信端末機は、バータイプ（bar type）、フリップタイプ（flip type）及びスライドタイプ（slidetype）のハウジングを有する全ての移動通信端末機に適用される。また、最近広く用いられているホルダータイプ（foldertype）のハウジングを有する移動通信端末機にも適用される。以下、本発明に係る操作キーアセンブリ１００がホルダータイプのハウジングに適用される例に対し、図面に基づいてさらに詳しく説明する。
【００４１】
図３Ａ乃至図４Ａに示すように、ホルダータイプのハウジング２００は、ヒンジ２５０を中心に相互回転自在に結合された上部ハウジング２２０及び下部ハウジング２１０を含んで構成される。
【００４２】
前記下部ハウジング２１０の上面、すなわち、前記ハウジング２００を折り合わせたときに前記上部ハウジング２２０と対向する面には、図４Ａに示すように、キーパッド２１及びマイク２３が提供される。また、前記下部ハウジング２１０の下面、すなわち、前記キーパッド２１が形成された面の反対側には、バッテリ(図示せず)が分離自在に装着される。
【００４３】
前記上部ハウジング２２０の下面、すなわち、前記ハウジング２００を折り合わせたときに前記キーパッド２１と対向する面には、図４Ａに示すように、ディスプレイ２７及びスピーカー２５が提供される。また、前記上部ハウジング２２０の上面、すなわち、前記ハウジング２００を折り合わせたときに上側に向かう面には、図３Ａ及び図３Ｂに示すように、補助ディスプレイ２７ａがさらに提供される。該補助ディスプレイ２７ａは、使用者に現在の時刻、発信者情報及び受信された文字メッセージなどを知らせる機能を行う。
【００４４】
前記ヒンジ２５０は、図３Ａ乃至図４Ａに示すように、中央部２５１と、一対の端部２５２と、を含んで構成される。前記中央部２５１は、前記上部ハウジング２２０の下端中央から延長され、前記一対の端部２５２は、前記下部ハウジング２１０の上端両側から延長される。ここで、前記一対の端部２５２は、所定距離だけ離隔して配置されるので、図４Ａに示すように、前記上部ハウジング２２０と下部ハウジング２１０とが互いに結合されたとき、前記中央部２５１は、前記一対の端部２５２の間に位置した状態で前記各端部２５２とそれぞれ軸結合される。しかし、これに限定されることなく、前記中央部２５１が前記下部ハウジング２１０から延長され、前記各端部２５２が前記上部ハウジング２２０から延長されることもある。
【００４５】
このように構成されたヒンジ２５０は、前記各図面に示すように、前記上部ハウジング２２０及び下部ハウジング２１０に対し水平に配置されることが好ましい。また、前記操作キーアセンブリ１００は、水平に配置されたヒンジ２５０の長さ方向端部に提供される。このために、前記ヒンジ２５０の長さ方向端部、すなわち、前記一対の端部２５２の内部には、図４Ａに示すように、前記操作キーアセンブリ１００を設置するための空間が形成される。
【００４６】
上述したように、前記ヒンジ２５０の各端部２５２の内部空間には、図４Ａに示した操作キーアセンブリ１００が設置される。この操作キーアセンブリ１００は、キャップ１１０と、少なくとも一つのキー１２０と、を含んで構成される。ここで、前記キャップ１１０は、図４Ａに示すように、前記ヒンジ２５０の長さ方向端部、すなわち、前記一対の端部２５２にそれぞれ結合される。また、前記キー１２０の一部は、図３Ａ及び図３Ｂに示すように、前記キャップ１１０を貫通して外部に露出されるように設置される。したがって、使用者は、前記ヒンジ２５０の長さ方向端部に露出されたキー１２０を押すことによって前記オーディオプレーヤー４０を操作する。
【００４７】
上記のように提供されるキー１２０は、例えば、図４Ａに示すように、前記キャップ１１０の内部に提供される軟質のキーパッド１２１と、該キーパッド１２１と前記キャップ１１０との間に提供されるボタン１２５と、を含んで構成される。
【００４８】
ここで、前記キーパッド１２１は、移動通信端末機のキーパッドとして用いられるフレキシブルプリント回路基板（flexible printed circuitboard）によって製作されるので、その占有空間を最小化することで、前記ヒンジ２５０の端部２５２に結合されるキャップ１１０の内部に充分に設置できる。このようなキーパッド１２１は、図４Ａに示すように、前記下部ハウジング２１０の内部に提供されるメーンボード２０１と電気的に連結される。
【００４９】
また、前記ボタン１２５は、硬質材質からなり、図４Ａに示すように、その一面が前記キャップ１１０を貫通して外部に露出され、他の一面が前記キーパッド１２１と接触するように設置される。したがって、使用者が前記ボタン１２５を押すと、該ボタン１２５が押されながら前記キーパッド１２１を押すことになる。さらに、前記ボタン１２５の両側面、すなわち、使用者によって押される面と前記キーパッド１２１を押す面との間には、図４Ａに示した段差部１２５ａが提供される。この段差部１２５ａは、前記キャップ１１０に接触されて支持されることで、前記ボタン１２５が前記キャップ１１０の外部に抜け出ることを防止する役割をする。
【００５０】
しかし、前記キー１２０の構造は、上述したものに限定されることなく、図４Ｂに示すように、前記ボタン１２５なしに軟質のキーパッド１２１のみを含んで構成されることもある。この場合、前記キーパッド１２１の一面は、図４Ｂに示すように、前記キャップ１１０を貫通して外部に露出されるように設置される。
【００５１】
一方、前記キャップ１１０は、該キャップ１１０の内部に提供される少なくとも一つのキー１２０が安定的に装着される構造であることが好ましい。このために、本発明に係る移動通信端末機において、前記キャップ１１０は、中空状のフレーム１１１と、該フレーム１１１の内部に提供されるソケット１４０と、を含んで構成される。ここで、前記フレーム１１１は、開放された端部が前記ヒンジ２５０の内側に向かうように配置されることで、前記ヒンジ２５０の端部２５２に結合される。また、前記ソケット１４０の内部に前記キー１２０が装着されるが、前記キー１２０の一部は、図４Ａに示すように、前記キャップ１１０を貫通して外部に露出される。上記のように構成されたソケット１４０は、図４Ａに示すように、前記フレーム１１１の内周面から突出された多数の支持台１１３によって前記フレーム１１１内に固定される。このように設置された前記ソケット１４０は、前記フレーム１１１と同じ中心軸を有するように前記フレーム１１１の中央に配置される。
【００５２】
前記ソケット１４０は、前記キー１２０を安定的かつ容易に装着できる構造であることが好ましい。このために、前記ソケット１４０は、図４Ａに示すように、多数の片（pieces）によって製作される。例えば、前記ソケット１４０は、前記フレーム１１１によって支持されるシリンダー１４１と、該シリンダー１４１の開放された一端に分離自在に装着されるカバー１４５と、を含んで構成される。
【００５３】
ここで、前記シリンダー１４１は、開放された両端を有し、その内部に前記キー１２０が装着される。また、前記シリンダー１４１の両端部のうち外部と連通された第１端部には、図４Ａに示すように、前記シリンダー１４１の内部に装着されたキー１２０が外部に抜け出ることを防止する延長部１４３が提供される。この延長部１４３は、前記シリンダー１４１の第１端部から前記シリンダー１４１の中心軸に向かって突出されるので、前記シリンダー１４１内に装着されたキー１２０は、前記第１端部を通して外部に抜け出ることがない。また、前記シリンダー１４１の両端部のうち前記フレーム１１１の内部と連通された第２端部には、該第２端部を開閉するカバー１４５が装着される。したがって、前記シリンダー１４１の内部に前記キー１２０を装着した後、前記カバー１４５を前記シリンダー１４１の第２端部に係合すると、前記ソケット１４０内に前記キー１２０を安定的かつ容易に装着できるようになる。
【００５４】
一方、本発明に係る移動通信端末機における前記ヒンジ２５０の端部２５２には、図４Ａに示すように、上記したように構成された操作キーアセンブリ１００のみならず、オーディオプレーヤー４０のためのスピーカー４３も提供される。この場合、前記スピーカー４３は、図４Ａに示すように、通話時に用いられる入出力部２０のスピーカー２５とは別途に備わることが好ましい。このために、前記オーディオプレーヤー４０のためのスピーカー４３は、前記上部ハウジング２２０の一側、例えば、図４Ａの点線で示すように、前記入出力部２０のスピーカー２５の両側にそれぞれ配置される。
【００５５】
しかし、前記スピーカー４３は、図４Ａ及び図４Ｂの実線で示すように、前記ヒンジ２５０の端部２５２の内部、例えば、前記キャップ１１０のフレーム１１１の内部にも装着される。この場合、前記スピーカー４３から発生したサウンドが外部に出るように、前記ヒンジ２５０、例えば、前記キャップ１１０には、少なくとも一つのホール１３１が提供される。ここで、前記ホール１３１は、前記ヒンジ２５０の長さ方向端部に形成されることが好ましいが、これに限定されることなく、前記ヒンジ２５０の円周面に形成されることもある。
【００５６】
一方、スピーカー４３がヒンジ２５０の内部に提供される場合、上述したように、前記キャップ１１０には、ホール１３１が提供される。しかし、前記ホール１３１が前記ヒンジ２５０の端部２５２の側面に提供される場合、前記ホール１３１は、図３Ａ乃至図４Ａに示すように、前記キー１２０の周辺に提供されることが好ましい。このホール１３１は、前記キャップ１１０に直接形成されるか、または、他の形態で提供される。
【００５７】
その一例として、多数のホール１３１を有するグリル１３０は、前記キャップ１１０の端部のうち前記キー１２０の占有領域でない領域を占めるように設置される。詳しく説明すると、前記グリル１３０は、図３Ａ乃至図４Ａに示すように、前記キー１２０の外部に露出された部分を取り囲むように前記キャップ１１０の端部に提供される。すなわち、前記キー１２０が前記キャップ１１０の中央に配置され、前記グリル１３０が前記キー１２０を取り囲むように配置されるが、これと反対に形成されることもある。例えば、図９に示すように、前記グリル１３０が前記キャップ１１０の端部中央に配置され、多数のキー１２０が前記グリル１３０を取り囲むように該グリル１３０の周辺に配置される。
【００５８】
上記のようにヒンジ２５０の端部２５２に提供される本発明に係る操作キーアセンブリ１００は、図３Ａ及び図３Ｂに示すように、前記ヒンジ２５０の長さ方向両端部にそれぞれ提供される。この場合、前記操作キーアセンブリ１００は、前記オーディオプレーヤー４０を簡単に操作するための最小限の機能キー、例えば、停止/再生キー１２０ａ及びホールドキー１２０ｂのみを含み、上述したように、ヒンジ２５０内に備わるスピーカー４３と一緒に提供されることが好ましい。
【００５９】
ここで、前記停止/再生キー１２０ａは、図３Ａに示すように、ヒンジ２５０の長さ方向両端部２５２のうちいずれか一側に提供され、前記ホールドキー１２０ｂは、前記ヒンジ２５０の長さ方向両端部２５２のうち他の一側に提供される。上記のように提供された停止/再生キー１２０ａをオーディオプレーヤー４０が作動しないときに押すと、前記オーディオプレーヤー４０は、予め選択または保存された音楽ファイルを再生し、かつ、オーディオプレーヤー４０が作動するときに押すと、再生中のサウンドを停止することになる。また、前記ホールドキー１２０ｂを押すと、前記オーディオプレーヤー４０を操作するための他のキーが押されるとしても、前記オーディオプレーヤー４０の作動状態が変更されることなく、ホールドキー１２０ｂがオンになった状態で再びホールドキー１２０ｂを押すと、ホールドモードが解除されることで、他のキーによってオーディオプレーヤー４０の作動状態が変更される。
【００６０】
一方、上記のようにホールドキー１２０ｂが備わると、移動通信端末機を携帯しながら音楽を聞くとき、不意の外力によって前記オーディオプレーヤー４０の作動が中止されるか、作動状態が変更されることを効果的に防止できる。しかし、前記ホールドキー１２０ｂは、押されながら作動する構造であるので、前記ホールドキー１２０ｂ及び他の操作キーが連続的に押されることで、オーディオプレーヤー４０の作動状態が変更されることも発生しうる。したがって、本発明では、これを防止するための構造も一緒に提供する。
【００６１】
このために、図５Ａ及び図５Ｂに示すように、前記ホールドキー１２０ｂは、押されながら作動する構造でない、回転しながら作動する構造を有する。すなわち、前記ホールドキー１２０ｂは、前記ヒンジ２５０の長さ方向端部に対し水平に回転しながら作動する。これは、図示してないが、前記ソケット１４０内にスイッチ(図示せず)が備わり、前記ホールドキー１２０ｂの回転時、前記スイッチを作動するように構成することで容易に実現される。
【００６２】
さらに、使用者が前記ホールドキー１２０ｂを容易に回転できるように、前記ホールドキー１２０ｂの表面には、溝１５１または突起１５２が備わる。前記溝１５１は、図５Ａに示すように、前記ホールドキー１２０ｂの上面にその半径方向に沿って長く形成され、前記突起１５２は、図５Ｂに示すように、前記ホールドキー１２０ｂの上面にその半径方向に沿って長く形成されることが好ましい。
【００６３】
以上、前記操作キーアセンブリ１００が前記ヒンジ２５０の長さ方向両端部２５２に全て提供された例が説明された。しかし、前記操作キーアセンブリ１００は、前記ヒンジ２５０の両端部２５２のうちいずれか一側のみに提供されることもある。この場合、前記ヒンジ２５０の両端部２５２のうち他の一側にカメラ５０などの部品を装着できるという利点がある。
【００６４】
このように、前記操作キーアセンブリ１００が前記ヒンジ２５０の両端部２５２のうちいずれか一側のみに提供された場合、前記操作キーアセンブリ１００は、多数のキー１２０を含んで構成されることが好ましい。図６ないし図９は、一つの操作キーアセンブリ１００に多数のキー１２０が提供された本発明の第２実施形態を示している。以下、これら図面に基づいて、本発明の第２実施形態に係る移動通信端末機に対してさらに詳しく説明する。
【００６５】
図６に示すように、本発明の第２実施形態に係る操作キーアセンブリ１００には、多数のキー１２０が備わるので、前記操作キーアセンブリ１００の各キー１２０は、前記ヒンジ２５０の端部２５２の側面をほとんど占めている。ここで、前記各キー１２０は、例えば、停止キー１２０ｄ、再生キー１２０ｃ、前進キー１２０ｅ、後進キー１２０ｆ、アップキー１２０ｇ、ダウンキー１２０ｈ及びホールドキー１２０ｂを含んで構成されるが、設計上の必要に応じてその数及び種類を変更できる。
【００６６】
上記のように多数のキー１２０を装着するために、前記キャップ１１０は、図７に示すように、その一端に多数のボタンホール１１５を備えている。すなわち、前記キャップ１１０の端部には、前記各キー１２０に対応するボタンホール１１５が貫通形成される。また、前記キャップ１１０の内部には、前記各ボタンホール１１５に挿入される多数のボタン１２５と、キーパッド１２１と、がそれぞれ提供される。
【００６７】
ここで、前記各ボタン１２５には、該ボタン１２５が前記ボタンホール１１５を通して外部に抜けることを防止するための段差部１２５ａが提供され、前記キーパッド１２１には、図７に示すように、前記各ボタン１２５によって押されながら前記オーディオプレーヤー４０を作動する多数のスイッチ１２１ａが、前記各ボタン１２５に対応する位置に提供される。上記のように構成された操作キーアセンブリ１００において、前記ボタン１２５のうちいずれか一つを押すと、押されたボタン１２５と当接するキーパッド１２１のスイッチ１２１ａが押されることでオーディオプレーヤー４０が操作される。
【００６８】
以上、前記操作キーアセンブリ１００の各キー１２０ごとに一つのボタン１２５と、これに対応する一つのスイッチ１２１ａと、が備わる例が説明された。しかし、第２実施形態に係る操作キーアセンブリ１００は、これに限定されることなく、他の例によっても実現される。例えば、図８に示すように、中心軸に対し傾斜して押される一つのボタン１２５が、キーパッド１２１に備わった多数のスイッチ１２１ａを選択的に押すように構成されることもある。
【００６９】
このために、ヒンジ２５０の端部２５２に結合されるキャップ１１０の端部には、一つの大きなボタンホール１１５が備わり、前記キャップ１１０の内部には、前記オーディオプレーヤー４０を操作するための多数のスイッチ１２１ａが周りに沿って配置されたキーパッド１２１が提供される。また、前記ボタンホール１１５と前記キーパッド１２１との間には、前記キーパッド１２１に対し傾斜して押される一つのボタン１２５が提供される。このボタン１２５は、前記ボタンホール１１５に挿入され、その中心には、図８の点線で示すように、支持軸１２５ｂが突出される。したがって、前記ボタン１２５は、使用者がその周り部を押すとき、その中心に対し傾斜して押されながら、前記キーパッド１２１の周りに沿って備わった各スイッチ１２１ａのうちいずれか一つを押すことになる。
【００７０】
上記したように、前記操作キーアセンブリ１００に多数のキー１２０が提供される場合、使用者は、前記オーディオプレーヤー４０の多くの機能を一層便利に使用できるようになる。
【００７１】
一方、図９に示すように、本発明の第２実施形態に係る操作キーアセンブリ１００は、前記スピーカー４３と一緒に前記ヒンジ２５０の端部２５２に装着される。この場合、前記スピーカー４３のサウンドを外部に伝達するためのグリル１３０は、前記ヒンジ２５０の端部中央に配置され、前記操作キーアセンブリ１００の各キー１２０は、前記グリル１３０を取り囲むように配置されることが好ましい。
【００７２】
以下、上記のように構成された本発明に係る移動通信端末機のオーディオプレーヤー４０の作動過程の一例を説明する。
【００７３】
まず、オーディオプレーヤー４０を用いて音楽を聞く場合、使用者は、ハウジング２００を開かない状態で図３Ａの停止/再生キー１２０ａまたは図６の再生キー１２０ｃを押す。その後、制御部１０は、オーディオプレーヤー４０を制御するためのモードに突入し、前記上部ハウジング２２０に提供された補助ディスプレイ２７ａには、オーディオファイルリスト及びオーディオプレーヤー４０の制御に必要なメニューが表示される。
【００７４】
このような状態で、図３Ａ及び図３Ｂに示した実施形態の場合、使用者は、図３Ｂのアップキー２１１またはダウンキー２１３及び図３Ａの停止/再生キー１２０ａを用いてオーディオファイルリスト及びメニューを検索して選択できる。
【００７５】
参考に、一般的な移動通信端末機のハウジング２００の側面には、図３Ｂに示すように、ボリュームを調節するためのアップキー２１１及びダウンキー２１３が提供される。したがって、図３Ａ及び図３Ｂに示すように、操作キーアセンブリ１００に少数のキー１２０が提供される場合、前記アップキー２１１及びダウンキー２１３は、オーディオプレーヤー４０の制御モードでファイル及びメニュー検索に活用できる。
【００７６】
その反面、図６に示した実施形態の場合、必要な全てのキー、例えば、前進キー１２０ｅ、後進キー１２０ｆ、アップキー１２０ｇ及びダウンキー１２０ｈなどが操作キーアセンブリ１００に提供されるので、使用者は、前記操作キーアセンブリ１００に提供された各キー１２０を押してファイル及びメニューを容易に検索できる。
【００７７】
再生しようとするオーディオファイルを探した後、使用者が図３Ａの停止/再生キー１２０ａまたは図６の再生キー１２０ｃを押すと、前記ファイル再生処理部４１及びスピーカー４３によってサウンドが再生される。
【００７８】
また、サウンドが再生される間、再生が中止されるか、オーディオプレーヤー４０の作動状態が変更されることを望まない場合、使用者は、図３Ｂ及び図６のホールドキー１２０ｂを押す。すると、他のどのキーが押されるとしても、オーディオプレーヤー４０の作動状態が変更されない。その反面、オーディオプレーヤー４０の再生を中止するか、作動状態を変更したい場合、使用者は、前記ホールドキー１２０ｂを再び押す。すると、他のキーを押すことで、オーディオプレーヤー４０の再生を中止するか、作動状態を変更できる。
【００７９】
オーディオプレーヤー４０をオフにする場合、使用者がサウンドの再生状態で図３Ａの停止/再生キー１２０ａまたは図６の停止キー１２０ｄを押すと、サウンドの再生が停止する。また、必要であれば、上述したように、メニューを検索した後、オーディオプレーヤー終了メニューを選択する。もちろん、サウンドの再生が停止した状態で停止キー１２０ｄを再び押すと、オーディオプレーヤーが自動で終了される。
【００８０】
上述したように、本発明に係る移動通信端末機によると、使用者は、移動通信端末機を開く必要なくオーディオプレーヤーを簡単に用いることができる。
【００８１】
以上、本発明は、いくつかの実施形態に基づいて説明されたが、本発明の趣旨及び範疇から脱しない範囲で他の多様な形態で具体化されることは、当該の技術分野で通常の知識を有する者にとって自明である。
【００８２】
したがって、上述した実施形態は、制限的でない例示的なものとして見なされるべきであり、特許請求の範囲及びこれと同等の範囲内の全ての実施形態は、本発明の範疇内に含まれる。
【００８３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００８４】
オーディオプレーヤーを操作するための各キーを使用するのに便利な位置に配置できる移動通信端末機を提供する。
【００８５】
また、移動通信端末機の外面に備わる補助ディスプレイを大きく設計できる移動通信端末機を提供する。
【００８６】
外部装置との無線通信が可能であり、オーディオプレーヤー４０が内蔵された携帯可能な移動通信端末機において、使用者が前記オーディオプレーヤー４０を操作できるように、ハウジング２００の側面に提供される操作キーアセンブリ１００を含んでオーディオプレーヤー操作キーが備わった移動通信端末機を構成する。
【図面の簡単な説明】
【００８７】
【図１】従来の移動通信端末機の一実施形態を示した斜視図である。
【図２】本発明に係る移動通信端末機の構成を示したブロック図である。
【図３Ａ】本発明の第１実施形態に係る移動通信端末機を示した斜視図である。
【図３Ｂ】本発明の第１実施形態に係る移動通信端末機を示した斜視図である。
【図４Ａ】図３Ａ及び図３Ｂの移動通信端末機におけるオーディオプレーヤーの操作キーアセンブリとスピーカーとがヒンジに結合された状態を示した概略図である。
【図４Ｂ】図４Ａの操作キーアセンブリの変形例を示した部分断面図である。
【図５Ａ】図３Ａ及び図３Ｂの移動通信端末機におけるホールドキーの他の例を示した部分斜視図である。
【図５Ｂ】図３Ａ及び図３Ｂの移動通信端末機におけるホールドキーの他の例を示した部分斜視図である。
【図６】本発明の第２実施形態に係る移動通信端末機を示した部分斜視図である。
【図７】図６の移動通信端末機におけるオーディオプレーヤーの操作キーアセンブリを示した分解斜視図である。
【図８】図６の移動通信端末機におけるオーディオプレーヤーの操作キーアセンブリの変形例を示した分解斜視図である。
【図９】図６の移動通信端末機におけるオーディオプレーヤー操作キーアセンブリの他の変形例を示した部分斜視図である。
【符号の説明】
【００８８】
４０  オーディオプレーヤー
４３  スピーカー
１００  操作キーアセンブリ
１１０  キャップ
１１５  ボタンホール
１２０  キー
１２１  キーパッド
１２１ａ  スイッチ
１２５  ボタン
１３０  グリル
１３１  ホール
１４０  ソケット
２００  ハウジング
２１０  下部ハウジング
２２０  上部ハウジング
２５０  ヒンジ
【図１】
2008136244.tif 000003
【図２】
2008136244.tif 000004
【図３Ａ】
2008136244.tif 000005
【図３Ｂ】
2008136244.tif 000006
【図４Ａ】
2008136244.tif 000007
【図４Ｂ】
2008136244.tif 000008
【図５Ａ】
2008136244.tif 000009
【図５Ｂ】
2008136244.tif 000010
【図６】
2008136244.tif 000011
【図７】
2008136244.tif 000012
【図８】
2008136244.tif 000013
【図９】
2008136244.tif 000014